(57)【要約】【課題】構造を単純化することで小型化が可能となり、また低コストでの製造も可能で、取り付けも容易である新規な用紙排出ガイドを提供することを目的とする。【解決手段】この発明に係る用紙排出ガイド１は、用紙搬送部１０と、支持部材２０からなる。用紙搬送部１０は、用紙導入口１１と、用紙送出口１２と、空洞部１３とを有する。支持部材２０は、前記用紙導入口１１の一端部の上下に一体に形成されている。空洞部１３は、用紙導入口１１から用紙送出口１２に向けて用紙の厚さ方向に沿って先がつぼまるテーパ状で横長の形状をなし、前記空洞部１３を構成する４側壁のうち、天板部に用紙がループ状にはみ出る開口部１４を有する。このような構造にすることで、プリンタからの用紙排出がなんらかの原因で妨げられた場合に、用紙搬送部１０に設けられた開口部１４から用紙の一部がループ状に撓むようにして飛び出ることにより、用紙ジャムを防ぐことができる。【選択図】図１
2008068950.tif 000002
【特許請求の範囲】
【請求項１】
プリンタの用紙排出口に設置され、用紙を所定の搬送長さで送り出すようにしたプリンタの用紙排出ガイドであって、
前記プリンタの用紙排出口に取り付けた支持部材と、
前記支持部材と一体的に形成され、プリンタの用紙排出口に対応する用紙導入口と、所定の搬送距離で用紙導入口の反対側に設けた用紙送出口を備えるとともに、
前記用紙導入口から用紙送出口に向けて用紙の厚さ方向に沿って先がつぼまるテーパ状の横長の空洞部とした用紙搬送部とを有し、
前記用紙搬送部を構成する４壁のうち、天板部もしくは底板部に用紙がループ状にはみ出ることを許容する開口部を設けたことを特徴とするプリンタの用紙排出ガイド。
【請求項２】
上記用紙搬送部における開口部は、その端面を円弧状断面としたことを特徴とする請求項１に記載の用紙排出ガイド。
【請求項３】
上記用紙搬送部を用紙の送出方向に向かって下方に傾けたことを特徴とする請求項１または２に記載の用紙排出ガイド。
【請求項４】
上記用紙搬送部の天板部上の開口部にアーチ状の雨除けカバーを取り付けるとともに、雨除けカバーの用紙送出口側の端部に開口部からはみ出た用紙をさらにはみ出させる引出口を設けたことを特徴とする請求項１ないし３のいずれかに記載の用紙排出ガイド。
【請求項５】
上記用紙搬送部の適所に、用紙搬送部に用紙が存在するかどうかを検知する用紙センサを取り付け、この用紙センサによる用紙を有無によってプリンタの駆動を制御するようにしたことを特徴とする請求項１ないし４のいずれかに記載の用紙排出ガイド。
【発明の詳細な説明】
【技術分野】
【０００１】
この発明は、プリンタの用紙排出口に設置され、用紙を所定の搬送長さで送り出す用紙搬送部を備えたプリンタの用紙排出ガイドに関する。
【背景技術】
【０００２】
プリンタの持つ問題の主なものに用紙ジャム（紙詰まり）がある。これは、用紙の搬送あるいは排出がスムーズに行なわれなかった場合（例えば受取人が排出を妨害してしまった場合）に、紙がプリンタ内で撓んでしまい、時にはプリンタ内でクシャクシャになり、用紙ジャムを引き起こしまうというものである。この用紙ジャムを防止するために、プリンタに用紙ジャム防止機構を設けた例がある。例えば、「用紙搬送装置」（特許第２７２１１１２号公報、特許文献１参照）及び、「PAPER DISCHARGE APPARATUS HAVING A FEED CONTROLLER」（米国特許第５４７８１６１号公報、特許文献２参照）である。
【０００３】
上記特許文献１及び特許文献２は、用紙の排出が妨害された際に、用紙排出直前に一定の空間を設けることで、その空間において用紙の撓んだ一部がシワがつくことなくループ状の撓みを形成し、用紙ジャムの発生を防止するという機構を備えている。
【特許文献１】特許第２７２１１１２号公報
【特許文献２】米国特許第５４７８１６１号公報
【発明の開示】
【発明が解決しようとする課題】
【０００４】
しかしながら、上述した特許文献１及び２では用紙ジャム防止機構が装置に内蔵されているために構造が複雑で組み付けが煩雑になりがちであり、またプリンタ本体が大型になりやすく高コストになってしまう。
【０００５】
そこでこの発明は、構造を単純化することで、小型化が可能であり、また低コストでの製造も可能であり、さらにプリンタへの取り付けも容易である新規な用紙排出ガイドを提供することを目的としている。
【課題を解決するための手段】
【０００６】
上述した課題を解決するために、この発明に係る用紙排出ガイドは、
プリンタの用紙排出口に設置され、用紙を所定の搬送長さで送り出すようにしたプリンタの用紙排出ガイドであって、
前記プリンタの用紙排出口に取り付けた支持部材と、
前記支持部材と一体的に形成され、プリンタの用紙排出口に対応する用紙導入口と、所定の搬送距離で用紙導入口の反対側に設けた用紙送出口を備えるとともに、
前記用紙導入口から用紙送出口に向けて用紙の厚さ方向に沿って先がつぼまるテーパ状の横長の空洞部とした用紙搬送部とを有し、
前記用紙搬送部を構成する４壁のうち、天板部もしくは底板部に用紙がループ状にはみ出ることを許容する開口部を設けたことを特徴とするものである。
【０００７】
またこの発明の用紙排出ガイドは、上記用紙搬送部における開口部は、その端面を円弧状断面としたことをも特徴とするものである。
【０００８】
この発明の用紙排出ガイドは、上記用紙搬送部を用紙の送出方向に向かって下方に傾けたことをも特徴とするものである。
【０００９】
この発明の用紙排出ガイドは、上記用紙搬送部の天板部上の開口部にアーチ状の雨除けカバーを取り付けるとともに、雨除けカバーの用紙送出口側の端部に開口部からはみ出た用紙をさらにはみ出させる引出口を設けたことをも特徴とするものである。
【００１０】
この発明の用紙排出ガイドは、上記用紙搬送部の適所に、用紙搬送部に用紙が存在するかどうかを検知する用紙センサを取り付け、この用紙センサによる用紙を有無によってプリンタの駆動を制御するようにしたことをも特徴とするものである。
【発明の効果】
【００１１】
この発明によれば、プリンタ本体と別構造とするとともに構造を単純にしたことにより、用紙排出ガイドの小型化が容易となる。またこの発明の各部位はそれぞれ一体となっており低コストで製造できる。さらに、用紙搬送部を傾け、雨除けカバーを設けることで全天候に対応できるようになる。そして最も顕著な効果は、プリンタ等への取り付けが非常に容易に行なえることである。
【発明を実施するための最良の形態】
【００１２】
以下この発明に係る用紙排出ガイドの実施の形態を図面に基いて詳細に説明する。
図１はこの発明の用紙排出ガイドの第１の実施例を示す斜視図、図２は図１を反対側から見た斜視図、図３（ａ）はその正面図、（ｂ）は用紙センサを取り付けた状態の正面図、図４はその背面図、図５はその側面図、図６はその平面図、図７は用紙が開口部からループ状に引き出された状態を示す断面図、図８はこの実施例の用紙排出ガイドをプリンタのコア部分に取り付けた状態の斜視図である。
また、図９はこの発明の用紙排出ガイドの第２の実施例を示す斜視図、図１０は雨除けカバーを取り付けた状態の斜視図、図１１は雨除けカバーを取り付けた状態を別の角度から見た斜視図、図１２は雨除けカバー部分から用紙がループ状に引き出される状態を示す斜視図、図１３はその断面図である。
さらに図１４はこの実施例の用紙排出ガイドをプリンタに取り付けた状態の斜視図、図１５はその側面図、図１６はその要部拡大断面図である。
【００１３】
図１ないし図７において、この発明の用紙排出ガイド１は、プリンタの用紙排出口に設置され、用紙を所定の搬送長さで送り出す用紙搬送部１０と、用紙搬送部１０の支持部材２０とを有している。
上記用紙搬送部１０は、プリンタの用紙排出口に連通する用紙導入口１１と、用紙送出口１２と、空洞部１３とで構成されており、用紙導入口１１は下辺が用紙の長さ方向に沿って外方に突き出した形状をなし、それに伴って側壁も下向きにせり出している。用紙送出口１２は用紙導入口１１の反対側に形成され、上辺に凹部１５（好ましくは左右一対）を設け、下辺が用紙の送出し方向に沿って突き出した形状をなしている。用紙送出口１２の上辺に設けた２箇所の凹部１５は、用紙の引き出しを容易にするためのものである。
【００１４】
空洞部１３は、用紙導入口１１から用紙送出口１２に向けて用紙の厚さ方向に沿って先がつぼまるテーパ状で、横長の形状をなしている。その天板部１３−１には用紙導入口１１側から先がつぼまるようなテーパ状のリブ１３−３が複数形成してあり、空洞部１３での用紙の高さを規制するようになっている。
また、該空洞部１３を構成する４側壁のうち、図７に示す天板部１３−１には用紙３３がループ状にはみ出る開口部１４を形成している。同様に底板部１３−２にも、用紙３３がループ状にはみ出る開口部１６を形成しておくことが望ましい。
なお、上記開口部１４は、その端面にガイド部１４−１を設けて円弧状断面としておくことができる。このようにすれば、用紙３３がループ状にはみ出る際に開口部１４に引っ掛かりにくく、用紙３３はスムーズに開口部１４からループ状にはみ出すことができる。
このような構造にすることで、プリンタからの用紙排出がなんらかの原因で妨げられた場合にも、図７に示すように用紙搬送部１０に設けられた開口部１４あるいは１６から用紙３３の一部がループ状に撓むようにして飛び出ることにより、用紙ジャムを防ぐことができるのである。
【００１５】
上記用紙搬送部１０の適所には、用紙搬送部１０の内部に用紙３３が存在するかどうかを検知する用紙センサ１７が取り付けてある。この用紙センサ１７は発信部と受信部とを内蔵し、用紙搬送部１０の内部に用紙が存在することを検知した場合にはプリンタの駆動を停止し、用紙が存在しないことを検知した場合にはプリンタが駆動するよう制御するようになっている。図３（ｂ）、図５、図７において１８−１は用紙センサ１７の支持台、１８−２は支持台１８−１の支持棒、１９−１はセンサカバーで、このセンサカバー１９−１は図１の取付孔１９−２にはめ込まれて固定されるようになっている。
【００１６】
また、支持部材２０は、前記用紙搬送部１０の一端部の上下に一体に形成され、複数箇所にビス止め穴２１を有する。支持部材２０の側面と用紙搬送部１０の底面とから構成されるL字状の角には補強用リブ２２が複数設けてある。
このような構造にすることで、プリンタの用紙排出口に本実施例の用紙排出ガイド１を容易に連結することができる。したがって、プリンタ自体に用紙ジャム防止機構を設けずとも、当該用紙排出ガイド１をプリンタの用紙排出口に連結するだけで、容易に用紙ジャムの防止が可能となるのである。
図１ないし図４において、２３は支持部材２０の上端に形成した用紙ガイドで、用紙とほぼ等しい幅の凹部に形成してある。したがって、この用紙ガイド２３に用紙の先端を収めるだけで用紙を容易に正しい向きに位置決めすることができる。
【００１７】
上記用紙搬送部１０の少なくとも底板部１３−２は、図７に示すように用紙３３の送出方向に向かって下方に３〜５°傾けてある。このように傾けることにより、屋外に設置された場合にも雨水がプリンタに浸入しにくくなって好都合である。
【００１８】
図８は、この実施例に係る用紙排出ガイド１をプリンタ３１に接続した状態を示す斜視図である。図示した用紙排出ガイド１は、プリンタ３１の用紙排出口（図示せず）に用紙導入口１１がちょうど重なるように、プリンタ３１に取り付ける。このとき、当該用紙排出ガイド１の支持部材２０のビス止め穴２１からビス止めすることで、プリンタ３１本体に容易に当該用紙排出ガイド１を固定することができる。
【００１９】
図において２４はロール紙である。プリンタ３１は用紙排出ガイド１の上方においてその上部が開放するよう構成されている。そして、上記ロール紙２４は用紙排出ガイド１の上部から解放されたプリンタ３１内に投入され、所定位置に回転可能に保持されて、用紙３３の引き出しに従動するようその回転を制御されている。
使用に際しては、用紙送出口１２において、たとえば操作者が早めに用紙３３を引き出そうとして妨害することにより、用紙３３の排出が停滞してしまったときにも、用紙３３の撓み部が当該用紙排出ガイド１の開口部１４よりシワがつくことなくループ状に飛び出すので、用紙ジャムを確実に防止することができる。
【００２０】
図９ないし図１１はこの発明の用紙排出ガイドの第２の実施例を示すものである。すなわち、用紙排出ガイド１’の用紙搬送部４０の天板部４３上の開口部４４に、アーチ状の雨除けカバー４５を取り付けたものである。４４−１は開口部４４端面に設けたガイド部である。
上記雨除けカバー４５は、アーチ状カバー部４５−１と、両側壁部４５−２と、側壁部４５−２の下端に設けた差込み片４５−３とを備え、アーチ状カバー部４５−１には用紙送出口４２側の端部に、上記開口部４４からはみ出た用紙３３をさらにはみ出させる引出口４６を設けてある。４５−４は、アーチ状カバー部４５−１の強度を保ち、用紙３３を引出口４６から抵抗なくはみ出させるためのリブである。
そして、用紙搬送部４０の空洞部１３を構成する両側の側壁部分に設けた差込み溝４７に、上記側壁部４５−２の下端に設けた差込み片４５−３をプラスチックの弾性を利用して差込むことにより固定している。４１は用紙排出ガイド１’の用紙導入口、４８は上記実施例と同様の用紙センサである。
【００２１】
図１２および図１３は、用紙排出ガイド１’の用紙搬送部４０内を用紙３３が通過する際の挙動を示すものである。
図示したように用紙排出ガイド１’の用紙搬送部４０内を用紙３３が通過する際、用紙送出口４２において操作者の妨害により用紙３３の排出が停滞してしまったときは、用紙３３の撓み部が当該用紙排出ガイド１’の開口部４４よりループ状に飛び出す。その上でさらに、上記雨除けカバー４５のアーチ状カバー部４５−１に設けたリブ４５−４によってガイドされて、アーチ状カバー部４５−１の引出口４６からシワがつくことなくループ状に飛び出すことによって、用紙ジャムを防止することができる。
【００２２】
このとき用紙３３は、上記雨除けカバー４５のアーチ状カバー部４５−１の引出口４６から用紙送出口４２と同じ向きに飛び出すので、操作者は無理なく用紙３３をアーチ状カバー部４５−１の引出口４６から取り出すことができる。
もちろん、上記雨除けカバー４５は当該用紙排出ガイド１’の開口部４４を覆い、当該開口部４４から雨水が当該用紙排出ガイド１’内に侵入して空洞部１３を濡らしてしまうことを防止することができる。
【００２３】
図１４ないし図１６は、この実施例の用紙排出ガイド１’をプリンタ５１にセットした状態を示すものである。
図示したようにプリンタ５１のハウジング５２の前面には用紙排出口５３が配置されており、これに用紙排出ガイド１’の用紙導入口１１が組み付けられる。ハウジング５２内のロール紙を収容する位置の上部には、ロール紙の収容部を開閉可能とする装置開放部５４が設けられ、装置開放部５４の先端には用紙３３の切断用可動部５５が昇降可能に取付けられている。すなわち、印字済みの用紙３３が用紙排出ガイド１’の用紙搬送部４０内に送り込まれると、用紙排出口５３に向かって切断用可動部５５が下降し、切断刃（図示せず）によって用紙３３が切断される。
【産業上の利用可能性】
【００２４】
この発明は、各種プリンタの用紙排出口に設置され、用紙を所定の搬送長さで送り出す用紙搬送部を備えたプリンタの用紙排出ガイドとして有用である。
【図面の簡単な説明】
【００２５】
【図１】この発明の用紙排出ガイドの第１の実施例を示す斜視図である。
【図２】図１を反対側から見た斜視図である。
【図３】（ａ）はその正面図、（ｂ）は用紙センサを取り付けた状態の正面図である。
【図４】その背面図である。
【図５】その側面図である。
【図６】その平面図である。
【図７】用紙が開口部からループ状に引き出された状態を示す断面図である。
【図８】この実施例の用紙排出ガイドをプリンタのコア部分に取り付けた状態の斜視図である。
【図９】この発明の用紙排出ガイドの第２の実施例を示す斜視図である。
【図１０】雨除けカバーを取り付けた状態の斜視図である。
【図１１】雨除けカバーを取り付けた状態を別の角度から見た斜視図である。
【図１２】雨除けカバー部分から用紙がループ状に引き出される状態を示す斜視図である。
【図１３】その断面図である。
【図１４】この実施例の用紙排出ガイドをプリンタに取り付けた状態の斜視図である。
【図１５】その側面図である。
【図１６】その要部拡大断面図である。
【符号の説明】
【００２６】
１  用紙排出ガイド
１０  用紙搬送部
１１  用紙導入口
１２  用紙送出口
１３  空洞部
１３−１  天板部
１３−２  底板部
１３−３  リブ
１４  開口部
１４−１  ガイド部
１５  凹部
１６  開口部
１７  用紙センサ
１８−１  支持台
１８−２  支持棒
１９−１  センサカバー
１９−２  取付孔
２０  支持部材
２１  ビス止め穴
２２  補強用リブ
２３  用紙ガイド
２４  ロール紙
３１  プリンタ
３２  用紙排出口
３３  用紙
１’  用紙排出ガイド
４０  用紙搬送部
４１  用紙導入口
４２  用紙送出口
４３  天板部
４４  開口部
４４−１  ガイド部
４５  雨除けカバー
４５−１  アーチ状カバー部
４５−２  側壁部
４５−３  差込み片
４５−４  リブ
４６  引出口
４７  差込み溝
４８  用紙センサ
５１  プリンタ
５２  ハウジング
５３  用紙排出口
５４  装置開放部
５５  切断用可動部
【図１】
2008068950.tif 000003
【図２】
2008068950.tif 000004
【図３】
2008068950.tif 000005
【図４】
2008068950.tif 000006
【図５】
2008068950.tif 000007
【図６】
2008068950.tif 000008
【図７】
2008068950.tif 000009
【図８】
2008068950.tif 000010
【図９】
2008068950.tif 000011
【図１０】
2008068950.tif 000012
【図１１】
2008068950.tif 000013
【図１２】
2008068950.tif 000014
【図１３】
2008068950.tif 000015
【図１４】
2008068950.tif 000016
【図１５】
2008068950.tif 000017
【図１６】
2008068950.tif 000018
【手続補正書】
【提出日】平成19年9月4日(2007.9.4)
【手続補正１】
【補正対象書類名】図面
【補正対象項目名】図８
【補正方法】変更
【補正の内容】
【図８】
2008068950.tif 000019